(57)【要約】【課題】操作性の向上を図ることが可能な電源回路遮断装置を提供する。【解決手段】電源回路遮断装置１は、電源回路Ｄの途中に設けられる固定側コネクタ装置２と、この固定側コネクタ装置２に係合・離脱して電源回路Ｄをオン・オフする可動側コネクタ装置３と、コネクタ装置同士の係合・離脱及び電源回路のオン・オフのための回転接続機構４とを含んで構成される。回転接続機構４は、コネクタ装置同士の係合・離脱及び電源回路のオン・オフにあたり、係合方向Ｐに沿って可動側コネクタ装置３を直線移動可能にし、且つ、係合方向Ｐに平行な回転軸回りの方向Ｑに可動側コネクタ装置３を回転移動可能にするように構成される。【選択図】図１
2018206585.tif 000002
【特許請求の範囲】
【請求項１】
電源回路の途中に設けられる固定側コネクタ装置と、
該固定側コネクタ装置に係合・離脱して前記電源回路をオン・オフする可動側コネクタ装置と、
前記係合・離脱及び前記電源回路のオン・オフにあたり、前記固定側コネクタ装置及び前記可動側コネクタ装置の係合方向に沿って該可動側コネクタ装置を直線移動可能にし、且つ、前記係合方向に平行な回転軸回りの方向に前記可動側コネクタ装置を回転移動可能にする回転接続機構とを含む
ことを特徴とする電源回路遮断装置。
【請求項２】
電源回路の途中に設けられる固定側コネクタ装置と、
該固定側コネクタ装置に係合・離脱して前記電源回路をオン・オフする可動側コネクタ装置とを含み、
前記固定側コネクタ装置は、前記電源回路の分断部分の一方に接続される導電性の第一端子と、前記電源回路の分断部分の他方に接続される導電性の第二端子と、これら前記第一端子及び前記第二端子を収容する絶縁性の固定側コネクタハウジングとを含み、
前記可動側コネクタ装置は、前記固定側コネクタハウジングに係合する絶縁性の可動側コネクタハウジングと、該可動側コネクタハウジングに収容され且つ前記第一端子及び前記第二端子に接触して前記電源回路をオンする第三端子とを含み、
前記第一端子及び前記第二端子は、前記固定側コネクタ装置及び前記可動側コネクタ装置の係合方向に沿ってそれぞれ突出し且つ所定の間隔をあけて前記係合方向に直交する方向に沿って並ぶタブ状の第一電気接触部及び第二電気接触部を有し、
前記固定側コネクタハウジングは、固定側ベース部と、前記第一電気接触部及び前記第二電気接触部を囲むように円筒形状に形成される固定側円筒部とを有し、
前記可動側コネクタハウジングは、可動側ベース部と、前記第三端子を囲むように円筒形状に形成され且つ前記固定側コネクタハウジングに対して係合する可動側円筒部とを有し、
前記固定側円筒部及び前記可動側円筒部のいずれか一方は、突起状のボス部を有するとともに、いずれか他方は、前記ボス部に案内されるスリット形状又は溝形状のガイド部を有し、
該ガイド部は、前記いずれか他方の開口縁から前記係合方向に沿って形成される第一ガイド部と、該第一ガイド部に連続するとともに前記係合方向に平行な回転軸回りの方向に形成される第二ガイド部と、該第二ガイド部に連続するとともに前記係合方向に沿って前記開口縁から離れる側に形成される第三ガイド部とを有する
ことを特徴とする電源回路遮断装置。
【請求項３】
請求項２に記載の電源回路遮断装置において、
前記固定側ベース部は、前記第一電気接触部及び前記第二電気接触部の各接続面の反対側を支持する支持部を有する
ことを特徴とする電源回路遮断装置。
【請求項４】
請求項３に記載の電源回路遮断装置において、
当該電源回路遮断装置は、前記電源回路と共に配索される信号回路の途中にも設けられるものであり、
前記固定側コネクタ装置は、前記信号回路の分断部分の一方に接続される導電性の第四端子と、前記信号回路の分断部分の他方に接続される導電性の第五端子と、これら前記第四端子及び前記第五端子を収容する絶縁性の固定側信号用ハウジングとを含み、
前記可動側コネクタ装置は、前記固定側信号用ハウジングに係合する絶縁性の可動側信号用ハウジングと、該可動側信号用ハウジングに収容され且つ前記第四端子及び前記第五端子に接続されて短絡をする第六端子とを含む
ことを特徴とする電源回路遮断装置。
【発明の詳細な説明】
【技術分野】
【０００１】
本発明は、導通状態にある電源回路を遮断することが可能な電源回路遮断装置に関する。
【背景技術】
【０００２】
例えばハイブリッド自動車や電気自動車の電源回路は高電圧の回路になる。従って、メンテナンス等で作業安全性を確保するためには、電源部と負荷部との通電を遮断することが必要であり、下記特許文献１に開示されるような電源回路遮断装置を電源回路の途中に設けることが一般的である。
【先行技術文献】
【特許文献】
【０００３】
【特許文献１】特開２０１３−６２０４３号公報
【発明の概要】
【発明が解決しようとする課題】
【０００４】
上記従来技術にあっては、電源回路遮断装置における電気的な接続部分がバネを有する端子とオスタブを有する端子との接触により形成される。電源回路は高電圧の回路になることから、上記バネの接触荷重を大きくしておく必要があり、そのため電源遮断装置におけるレバーの操作荷重が大きく操作性が悪くなってしまうという問題点を有する。
【０００５】
本発明は、上記した事情に鑑みてなされたもので、操作性の向上を図ることが可能な電源回路遮断装置の提供を課題とする。
【課題を解決するための手段】
【０００６】
上記課題を解決するためになされた請求項１に記載の本発明の電源回路遮断装置は、電源回路の途中に設けられる固定側コネクタ装置と、該固定側コネクタ装置に係合・離脱して前記電源回路をオン・オフする可動側コネクタ装置と、前記係合・離脱及び前記電源回路のオン・オフにあたり、前記固定側コネクタ装置及び前記可動側コネクタ装置の係合方向に沿って該可動側コネクタ装置を直線移動可能にし、且つ、前記係合方向に平行な回転軸回りの方向に前記可動側コネクタ装置を回転移動可能にする回転接続機構とを含むことを特徴とする。
【０００７】
このような請求項１の特徴を有する本発明によれば、レバーを用いない構成の電源回路遮断装置にすることができる。すなわち、固定側コネクタ装置に対し可動側コネクタ装置を直線移動及び回転移動させてコネクタ装置同士の係合・離脱及び電源回路のオン・オフを図る構成にすれば、レバーを用いなくとも操作性のよい電源回路遮断装置を提供することができる。
【０００８】
また、上記課題を解決するためになされた請求項２に記載の本発明の電源回路遮断装置は、電源回路の途中に設けられる固定側コネクタ装置と、該固定側コネクタ装置に係合・離脱して前記電源回路をオン・オフする可動側コネクタ装置とを含み、前記固定側コネクタ装置は、前記電源回路の分断部分の一方に接続される導電性の第一端子と、前記電源回路の分断部分の他方に接続される導電性の第二端子と、これら前記第一端子及び前記第二端子を収容する絶縁性の固定側コネクタハウジングとを含み、前記可動側コネクタ装置は、前記固定側コネクタハウジングに係合する絶縁性の可動側コネクタハウジングと、該可動側コネクタハウジングに収容され且つ前記第一端子及び前記第二端子に接触して前記電源回路をオンする第三端子とを含み、前記第一端子及び前記第二端子は、前記固定側コネクタ装置及び前記可動側コネクタ装置の係合方向に沿ってそれぞれ突出し且つ所定の間隔をあけて前記係合方向に直交する方向に沿って並ぶタブ状の第一電気接触部及び第二電気接触部を有し、前記固定側コネクタハウジングは、固定側ベース部と、前記第一電気接触部及び前記第二電気接触部を囲むように円筒形状に形成される固定側円筒部とを有し、前記可動側コネクタハウジングは、可動側ベース部と、前記第三端子を囲むように円筒形状に形成され且つ前記固定側コネクタハウジングに対して係合する可動側円筒部とを有し、前記固定側円筒部及び前記可動側円筒部のいずれか一方は、突起状のボス部を有するとともに、いずれか他方は、前記ボス部に案内されるスリット形状又は溝形状のガイド部を有し、該ガイド部は、前記いずれか他方の開口縁から前記係合方向に沿って形成される第一ガイド部と、該第一ガイド部に連続するとともに前記係合方向に平行な回転軸回りの方向に形成される第二ガイド部と、該第二ガイド部に連続するとともに前記係合方向に沿って前記開口縁から離れる側に形成される第三ガイド部とを有することを特徴とする。
【０００９】
このような請求項２の特徴を有する本発明によれば、レバーを用いない構成及び構造の電源回路遮断装置にすることができる。すなわち、固定側コネクタ装置に対し可動側コネクタ装置を直線移動及び回転移動させてコネクタ装置同士の係合・離脱及び電源回路のオン・オフを図る構成及び構造にすれば、レバーを用いなくとも操作性のよい電源回路遮断装置を提供することができる。この他、本発明によれば、端子接触による荷重がかかった状態の操作距離を従来例よりも小さく設定することができる。
【００１０】
請求項３に記載の本発明は、請求項２に記載の電源回路遮断装置において、前記固定側ベース部は、前記第一電気接触部及び前記第二電気接触部の各接続面の反対側を支持する支持部を有することを特徴とする。
【００１１】
このような請求項３の特徴を有する本発明によれば、第一端子及び第二端子の第一電気接触部及び第二電気接触部の各接続面と、第三端子との接続状態を安定させることができる。
【００１２】
請求項４に記載の本発明は、請求項３に記載の電源回路遮断装置において、当該電源回路遮断装置は、前記電源回路と共に配索される信号回路の途中にも設けられるものであり、前記固定側コネクタ装置は、前記信号回路の分断部分の一方に接続される導電性の第四端子と、前記信号回路の分断部分の他方に接続される導電性の第五端子と、これら前記第四端子及び前記第五端子を収容する絶縁性の固定側信号用ハウジングとを含み、前記可動側コネクタ装置は、前記固定側信号用ハウジングに係合する絶縁性の可動側信号用ハウジングと、該可動側信号用ハウジングに収容され且つ前記第四端子及び前記第五端子に接続されて短絡をする第六端子とを含むことを特徴とする。
【００１３】
このような請求項４の特徴を有する本発明によれば、信号回路のオン・オフも図ることができる。
【発明の効果】
【００１４】
本発明の電源回路遮断装置によれば、コネクタ装置同士の係合・離脱及び電源回路のオン・オフの際の操作性向上を図ることができるという効果を奏する。
【図面の簡単な説明】
【００１５】
【図１】本発明の電源回路遮断装置の一実施形態を示す分解斜視図である。
【図２】図１の固定側コネクタ装置の拡大図である。
【図３】図１の可動側コネクタ装置の拡大図である。
【図４】コネクタ装置同士の係合前の状態を示す図であり、（ａ）は装置の外観を示す斜視図、（ｂ）は端子位置を示す斜視図である。
【図５】コネクタ装置同士の係合開始時の状態を示す図であり、（ａ）は装置の外観を示す斜視図、（ｂ）は端子位置を示す斜視図である。
【図６】図５の時の端子位置を示す図であり、（ａ）は固定側コネクタ装置の平面図、（ｂ）は（ａ）の端子のみの図である。
【図７】コネクタ装置同士の係合途中の状態を示す図であり、（ａ）は装置の外観を示す斜視図、（ｂ）は端子位置を示す斜視図である。
【図８】図７の時の端子位置を示す図であり、（ａ）は固定側コネクタ装置の平面図、（ｂ）は（ａ）の端子のみの図である。
【図９】コネクタ装置同士の係合終了時の状態を示す図であり、（ａ）は装置の外観を示す斜視図、（ｂ）は端子位置を示す斜視図である。
【図１０】図９の時の端子位置を示す図であり、（ａ）は固定側コネクタ装置の平面図、（ｂ）は（ａ）の端子のみの図である。
【発明を実施するための形態】
【００１６】
電源回路遮断装置は、電源回路の途中に設けられる固定側コネクタ装置と、この固定側コネクタ装置に係合・離脱して電源回路をオン・オフする可動側コネクタ装置と、コネクタ装置同士の係合・離脱及び電源回路のオン・オフのための回転接続機構とを含んで構成される。回転接続機構は、コネクタ装置同士の係合・離脱及び電源回路のオン・オフにあたり、係合方向に沿って可動側コネクタ装置を直線移動可能にし、且つ、係合方向に平行な回転軸回りの方向に可動側コネクタ装置を回転移動可能にするように構成される。
【実施例】
【００１７】
以下、図面を参照しながら実施例を説明する。図１は本発明の電源回路遮断装置の一実施形態を示す分解斜視図である。また、図２は固定側コネクタ装置の拡大図、図３は可動側コネクタ装置の拡大図、図４〜図１０はコネクタ装置同士の係合前の状態から係合終了時までの状態を示す図である。
【００１８】
＜電源回路遮断装置１について＞
図１において、電源回路遮断装置１は、電源回路Ｄ及び信号回路Ｓの途中に設けられる固定側コネクタ装置２と、この固定側コネクタ装置２に係合・離脱して電源回路Ｄ及び信号回路Ｓをオン・オフする可動側コネクタ装置３と、コネクタ装置同士の係合・離脱、及び、電源回路Ｄや信号回路Ｓのオン・オフのための回転接続機構４とを含んで構成される。本実施例の電源回路遮断装置１は、例えばハイブリッド自動車や電気自動車のサービスプラグに相当するものである。電源回路遮断装置１は、以下の説明で分かるようになるが、従来例とは異なりレバーを用いない回転式のサービスプラグである。
【００１９】
尚、図１中の符号ＣＬは中心軸・回転軸を示すものとする。また、この中心軸・回転軸ＣＬに沿って平行な矢印Ｐは特許請求の範囲に記載された嵌合方向を示すものとする。また、中心軸・回転軸ＣＬを中心にした矢印Ｑは特許請求の範囲に記載された回転軸回りの方向を示すものとする。この他、上記矢印Ｐが本実施例において上下方向を示すものとする。また、矢印Ｒが左右方向を示すものとする。また、矢印Ｔが前後方向を示すものとする。
【００２０】
＜固定側コネクタ装置２について＞
図１及び図２において、固定側コネクタ装置２は、導電性の第一端子５と、同じく導電性の第二端子６と、これら第一端子５及び第二端子６を収容する絶縁性の固定側コネクタハウジング７とを備えて構成される。また、固定側コネクタ装置２は、導電性の第四端子８と、同じく導電性の第五端子９と、これら第四端子８及び第五端子９を収容する絶縁性の固定側信号用ハウジング１０とを備えて構成される。尚、上記端子の中に「第三」及び「第六」がないが、これらは可動側コネクタ装置３の方に備えられるものとする。
【００２１】
＜第一端子５及び第二端子６について＞
図１及び図２において、第一端子５及び第二端子６は、ここでは同じ形状のものが採用される。第一端子５は、電源回路Ｄの分断部分の一方に接続される。また、第二端子６は、電源回路Ｄの分断部分の他方に接続される。第一端子５及び第二端子６は、電源回路Ｄとの接続にあたりナット４２が用いられる（一例であるものとする。接続方法は特に限定されないものとする）。第一端子５及び第二端子６は、係合方向Ｐに沿ってそれぞれ突出するタブ状の第一電気接触部１１及び第二電気接触部１２と、第一電気接触部１１及び第二電気接触部１２に連続する第一回路接続部１３及び第二回路接続部１４とを有し、例えば図示のようなＬ字状に形成される。
【００２２】
第一電気接触部１１及び第二電気接触部１２は、引用符号１５で示す接続面と、引用符号１６で示す支持面とを有する。接続面１５と支持面１６は、共に平坦な面に形成される。第一電気接触部１１及び第二電気接触部１２は、所定の間隔をあけて係合方向Ｐに直交する方向（矢印Ｒ参照）に沿って並ぶように配置される。尚、上記所定の間隔とは、後述する第三端子２７の回転移動を妨げない程度の間隔であるものとする。また、第一電気接触部１１及び第二電気接触部１２は、接続面１５同士が第三端子２７の厚み分だけ離れるように配置される（図６参照）。
【００２３】
＜固定側コネクタハウジング７について＞
図１及び図２において、固定側コネクタハウジング７は、第一端子５及び第二端子６を収容する部分として用いられる。また、固定側コネクタハウジング７は、可動側コネクタ装置３の後述する可動側コネクタハウジング２６との係合部分としても用いられる。このような固定側コネクタハウジング７には、固定側ベース部１７と、固定側円筒部１８とが形成される。
【００２４】
＜固定側ベース部１７について＞
図２及び図６において、固定側ベース部１７は、平面視矩形の板状に形成される。固定側ベース部１７の四隅には、固定部１９がそれぞれ形成される。また、固定側ベース部１７の少なくとも上面には、複数の補強リブ２０が形成される。固定側ベース部１７の中央には、二つの端子挿通穴２１と、二つの支持部２２とが形成される。二つの端子挿通穴２１は、第一電気接触部１１及び第二電気接触部１２の挿通部分として形成される。二つの支持部２２は、第一電気接触部１１及び第二電気接触部１２の各接続面１６の反対側を支持する部分として形成される。二つの支持部２２は、第一電気接触部１１及び第二電気接触部１２が後述する第三端子２７からの押圧を受けた時の支えになる壁状の部分として形成される。二つの支持部２２は、電気的な接触状態の安定化を図るための部分である。
【００２５】
＜固定側円筒部１８について＞
図１及び図２において、固定側円筒部１８は、第一電気接触部１１及び第二電気接触部１２を囲むように円筒形状に形成される。固定側円筒部１８は、この開口縁２３が二つの支持部２２よりも上方に位置するように形成される。固定側円筒部１８の外周面には、一対のボス部２４が形成される。
【００２６】
＜一対のボス部２４について＞
図２及び図６において、一対のボス部２４は、矢印Ｔの前後方向に突出する突起状の部分に形成される。一対のボス部２４は、本実施例において、固定側円筒部１８の外周面から若干膨出する形状、且つ、矢印Ｐの上下方向にのびる形状の膨出部２５に形成される。また、この膨出部２５の略中央位置に形成される。一対のボス部２４は、後述するガイド部３３の内外の縁部に係合するような「くびれ」を有する形状（符号省略）に形成される。
【００２７】
＜第四端子８及び第五端子９について＞
図１及び図２において、第四端子８及び第五端子９は、ここでは同じ形状のものが採用される。第四端子８は、信号回路Ｓの分断部分の一方に接続される。また、第五端子９は、信号回路Ｓの分断部分の他方に接続される。第四端子８及び第五端子９は、低電圧用の公知の雌端子が採用される。尚、信号回路Ｓとして、ここでは公知の電線が採用される。
【００２８】
＜固定側信号用ハウジング１０について＞
図１及び図２において、固定側信号用ハウジング１０は、固定側ベース部１７の上面から上方に突出するような矩形箱状の部分に形成される。このような固定側信号用ハウジング１０の内部には、第四端子及び前記第五端子を収容する端子収容室（符号省略）や、係止用のランス（図示省略）が形成される。固定側信号用ハウジング１０の上面には、後述する第六端子２９が挿通される端子挿通穴（符号省略）が形成される。尚、固定側信号用ハウジング１０の上面の位置は、一対のボス部２４の位置を考慮して設定される。
【００２９】
＜可動側コネクタ装置３について＞
図１及び図３において、可動側コネクタ装置３は、固定側コネクタハウジング７に係合する絶縁性の可動側コネクタハウジング２６と、この可動側コネクタハウジング２６に収容され且つ第一端子５及び第二端子６に対し接触して電源回路Ｄをオンする第三端子２７と、固定側信号用ハウジング１０に係合する絶縁性の可動側信号用ハウジング２８と、この可動側信号用ハウジング２８に収容され且つ第四端子８及び第五端子９に接続されてこれらを短絡する第六端子２９とを備えて構成される。
【００３０】
＜可動側コネクタハウジング２６について＞
図１及び図３において、可動側コネクタハウジング２６は、第三端子２７を収容する部分として用いられる。また、可動側コネクタハウジング２６、固定側コネクタハウジング７との係合部分としても用いられる。このような可動側コネクタハウジング２６には、可動側ベース部３０と、可動側円筒部３１とが形成される。
【００３１】
＜可動側ベース部３０について＞
図１及び図３において、可動側ベース部３０は、円形の部分に形成される。この可動側ベース部３０の上面には、矢印Ｒの左右方向及び矢印Ｔの前後方向にのびるリブ３２が形成される。リブ３２は、平面視「＋」の形状に形成される。可動側ベース部３０の下面には、第三端子２７を固定するための図示しない端子固定部が形成される。
【００３２】
＜可動側円筒部３１について＞
図１及び図３において、可動側円筒部３１は、第三端子２７を囲むように円筒形状に形成される。可動側円筒部３１、固定側円筒部１８の外側に係合するような大きさに形成される。このような可動側円筒部３１の壁には、一対のガイド部３３が形成される。
【００３３】
＜一対のガイド部３３について＞
図１及び図３において、一対のガイド部３３は、一対のボス部２４に案内されるスリット形状（又は溝形状でもよい）の部分に形成される。一対のガイド部３３は、可動側円筒部３１の開口縁４１から係合方向Ｐに沿って切り欠き形成される第一ガイド部３４と、この第一ガイド部３４に連続するとともに回転軸回りの方向Ｑに切り欠き形成される第二ガイド部３５と、第二ガイド部３５に連続するとともに係合方向Ｐに沿って上記開口縁４１から離れる側に切り欠き形成される第三ガイド部３６とを有する図示形状に形成される。一対のガイド部３３のスリット幅は、一対のボス部２４の径に対し、ほぼ同じサイズになるように設定される。また、一対のガイド部３３の各部分の形成位置は、端子接続位置に配慮して設定される。
【００３４】
＜第三端子２７について＞
図１及び図３において、第三端子２７は、矩形板状に形成される。第三端子２７は、撓まないくらいの剛性を有する。このような第三端子２７における引用符号３７は接続面を示す。この接続面３７は、第三端子２７の両面に平坦な面で形成される。また、第三端子２７における引用符号３８は、可動側ベース部３０の上記図示しない端子固定部に固定される固定部を示す。第三端子２７は、第一電気接触部１１及び第二電気接触部１２の各接続面１５に対する接触に必要な幅寸法、高さ寸法、厚さ寸法を有するように形成される。
【００３５】
＜可動側信号用ハウジング２８について＞
図１及び図３において、可動側信号用ハウジング２８は、可動側円筒部３１の外周面に一体化するような矩形箱状の部分に形成される。可動側信号用ハウジング２８は、この下面が開口するように形成される。また、可動側信号用ハウジング２８は、固定側信号用ハウジング１０の外側に係合するような大きさに形成される。
【００３６】
＜第六端子２９について＞
図１及び図３において、第六端子２９は、上記のように第四端子８及び第五端子９を短絡するための端子であって、可動側信号用ハウジング２８に固定される固定部３９と、一対のオスタブ４０とを有する。
【００３７】
＜回転接続機構４について＞
図１ないし図３において、回転接続機構４は、固定側コネクタ装置２及び可動側コネクタ装置３同士の係合・離脱、及び、電源回路Ｄや信号回路Ｓのオン・オフにあたり、係合方向Ｐに沿って可動側コネクタ装置３を直線移動可能にし、且つ、回転軸回りの方向Ｑに可動側コネクタ装置３を回転移動可能にすることのできる構成及び構造が該当する。具体的には、固定側コネクタ装置２では、第一端子５及び第二端子６の形状や配置、固定側円筒部１８の形状、一対のボス部２４の形状や配置、二つの支持部２２等が該当する。また、可動側コネクタ装置３では、可動側円筒部３１の形状、一対のガイド部３３の形状や配置、第三端子２７の形状や配置等が該当する。さらに、第四端子８及び第五端子９、固定側信号用ハウジング１０、可動側信号用ハウジング２８、第六端子２９が該当する。
【００３８】
＜固定側コネクタ装置２及び可動側コネクタ装置３同士の係合について＞
上記構成及び構造に基づき、固定側コネクタ装置２及び可動側コネクタ装置３同士の係合について、図４ないし図１０を参照しながら説明をする。
【００３９】
図４において、コネクタ装置同士の係合前の状態では、固定側コネクタ装置２の上方に可動側コネクタ装置３がセットされる。この時、一対のガイド部３３の第一ガイド部３４は、一対のボス部２４の直上に配置される。また、第三端子２７も第一端子５及び第二端子６の直上に配置される（第三端子２７の幅方向が第一端子５及び第二端子６の並び方向に対し交差するような位置関係に配置される）。
【００４０】
図５及び図６において、コネクタ装置同士の係合開始時の状態では、可動側円筒部３１が固定側円筒部１８に係合し始める。この時、一対のガイド部３３の第一ガイド部３４が一対のボス部２４に案内される。また、第三端子２７が第一端子５及び第二端子６に対し非接触の状態でこれらの間に差し込まれ始める。尚、一対のボス部２４により第一ガイド部３４の奥位置まで案内されると、可動側コネクタ装置３の係合方向Ｐの方向への直線移動が一旦できなくなる。
【００４１】
図７及び図８において、コネクタ装置同士の係合途中の状態では、第三端子２７が第一端子５及び第二端子６に接触するような可動側コネクタ装置３の右回りの回転移動が行われる。この時、一対のガイド部３３の第二ガイド部３５が一対のボス部２４に案内される。また、第三端子２７も中心軸・回転軸ＣＬを中心に回転移動し、第一端子５及び第二端子６に接触する。第三端子２７が第一端子５及び第二端子６に接触することで仮接続の状態が形成される。
【００４２】
図７の状態になると、固定側信号用ハウジング１０の直上に可動側信号用ハウジング２８が配置される。別な言い方をすれば、第四端子８及び第五端子９の直上に短絡用の第六端子２９が配置される。
【００４３】
図９及び図１０において、コネクタ装置同士の係合終了時の状態では、可動側円筒部３１が固定側円筒部１８に完全に係合するような係合方向Ｐの方向への直線移動が行われる。この時、一対のガイド部３３の第三ガイド部３６が一対のボス部２４により奥位置まで案内される。また、第三端子２７も係合方向Ｐの方向へ直線移動し、第一端子５及び第二端子６に接触したままで押し込まれる。これにより本接続の状態が形成される。さらに、可動側信号用ハウジング２８が固定側信号用ハウジング１０に係合し、第四端子８及び第五端子９が第六端子２９により短絡される。以上により電源回路Ｄ及び信号回路Ｓはオンの状態になる。
【００４４】
上記本接続の状態は、一対のガイド部３３と一対のボス部２４との係合により維持される（この維持にあたっては特別なロック構造は不要である）。本接続の際の荷重がかかった状態の操作距離は、第三ガイド部３６が一対のボス部２４により奥位置まで案内される距離の分だけになる。すなわち、短いことが分かる。
【００４５】
以上、図１ないし図１０を参照しながら説明してきたように、本発明の一実施形態である電源回路遮断装置１によれば、従来例のようなレバーを用いない構成及び構造にすることができる。すなわち、固定側コネクタ装置２に対し可動側コネクタ装置３を直線移動及び回転移動させてコネクタ装置同士の係合・離脱、及び、電源回路Ｄや信号回路Ｓのオン・オフを図る構成及び構造の電源回路遮断装置１であることから、レバーを用いなくとも操作性をよくすることができる。また、上記構成及び構造からも分かるように、従来例よりも簡素化を図ることができる。
【００４６】
本発明は本発明の主旨を変えない範囲で種々変更実施可能なことは勿論である。
【符号の説明】
【００４７】
Ｄ…電源回路、  Ｓ…信号回路、  １…電源回路遮断装置、  ２…固定側コネクタ装置、  ３…可動側コネクタ装置、  ４…回転接続機構、  ５…第一端子、  ６…第二端子、  ７…固定側コネクタハウジング、  ８…第四端子、  ９…第五端子、  １０…固定側信号用ハウジング、  １１…第一電気接触部、  １２…第二電気接触部、  １３…第一回路接続部、  １４…第二回路接続部、  １５…接続面、  １６…支持面、  １７…固定側ベース部、  １８…固定側円筒部、  １９…固定部、  ２０…補強リブ、  ２１…端子挿通穴、  ２２…支持部、  ２３…開口縁、  ２４…ボス部、  ２５…膨出部、  ２６…可動側コネクタハウジング、  ２７…第三端子、  ２８…可動側信号用ハウジング、  ２９…第六端子、  ３０…可動側ベース部、  ３１…可動側円筒部、  ３２…リブ、  ３３…ガイド部、  ３４…第一ガイド部、  ３５…第二ガイド部、  ３６…第三ガイド部、  ３７…接続面、  ３８…固定部、  ３９…固定部、  ４０…オスタブ、  ４１…開口縁、  ４２…ナット
【図１】
2018206585.tif 000003
【図２】
2018206585.tif 000004
【図３】
2018206585.tif 000005
【図４】
2018206585.tif 000006
【図５】
2018206585.tif 000007
【図６】
2018206585.tif 000008
【図７】
2018206585.tif 000009
【図８】
2018206585.tif 000010
【図９】
2018206585.tif 000011
【図１０】
2018206585.tif 000012